(57)【要約】  水を処理するために一連に配置された各チャンバを画定する複数の連結したタンク部（１２、１３、１４）を有するモジュラ型タンク（１０）を含み、各タンク部が対向する側壁（１５、１６および１８、１９）を有し、隣接するタンク部の隣接する側壁は、堰を形成するそれらの共通する上端（１７、２０）で連結され、各チャンバ内での処理のために、ユニット（１０）内で処理された水が１つのタンク部から隣接するタンク部へこの堰の上を流れることができるモジュラ型水処理ユニット（１０）。前記モジュラ型水処理ユニット（１０）は、処理される水体上に浮揚するために、浮揚性支持体と連結されていてよい。【選択図】図１
2008542008.tif 000002
【特許請求の範囲】
【請求項１】
水を処理するために一連に配置された各チャンバを画定する複数の連結したタンク部を有するモジュラ型タンクを含み、前記各タンク部が対向する側壁を有し、隣接する前記タンク部の隣接する側壁がそれらの共通の上端で連結され、前記タンク部の前記共通の上端が堰を形成し、前記各チャンバ内での処理のために、前記ユニット内で処理された水が１つのタンク部から隣接するタンク部へこの堰の上を流れることができるモジュラ型水処理ユニット。
【請求項２】
各タンク部の前記壁の前記連結した上端によって画定される各堰が、水平面に対して上流の堰または堰群より低いレベルにあることにより、水が重力の影響によって１つのタンク部から隣のタンク部へ前記各堰を越えて流れる、請求項１に記載のモジュラ型水処理ユニット。
【請求項３】
前記各堰がほぼ同一の水平面内にある、請求項２に記載のモジュラ型水処理ユニット。
【請求項４】
前記タンク部が一体式に形成される、請求項１ないし３のいずれか１項に記載のモジュラ型水処理ユニット。
【請求項５】
前記１つのタンク部の前記水処理チャンバをバッフル手段の両側のチャンバ部に分離するために、少なくとも１つのタンク部に前記バッフル手段を形成する、請求項１ないし４のいずれか１項に記載のモジュラ型水処理ユニット。
【請求項６】
使用中水が１つのチャンバ部から隣接するチャンバ部へ前記バッフル手段の下方端部の下または中を流れるように、前記バッフル手段が配置される、請求項５に記載のモジュラ型水処理ユニット。
【請求項７】
前記タンク部の前記バッフル手段が平坦なバッフルを備え、前記平坦なバッフルが前記タンク部の前記下端より上に持ち上げられることにより、前記バッフルの下で１つのチャンバ部から隣接するチャンバ部に水が流れることができる、請求項６に記載のモジュラ型水処理ユニット。
【請求項８】
前記バッフル手段が、水が中を流れるようにその下端に開口、あるいはスロットまたは切抜き部を備えて形成される平坦なパネルのバッフルを備える、請求項６に記載のモジュラ型水処理ユニット。
【請求項９】
前記タンク部がその両側に垂直スロットまたは溝を備えて形成され、その中に前記バッフル手段の対向する側縁部がタンク部内に支持されるように配置される、請求項７または８に記載のモジュラ型水処理ユニット。
【請求項１０】
前記タンク部の１つが、他のタンク部のチャンバの容積と比較して拡大された容積の主チャンバを有し、前記主チャンバにフィルタされた水が流れるように主タンク部に連結するスクリーンフィルタを含む主タンク部を備える、請求項１ないし９のいずれか１項に記載のモジュラ型水処理ユニット。
【請求項１１】
前記スクリーンフィルタが回転可能なフィルタドラムを有するドラムフィルタ組立体を備える、請求項１０に記載のモジュラ型水処理ユニット。
【請求項１２】
前記フィルタドラムが、前記フィルタドラムが回転するようにその上で支持されるローラを担持するフレーム上に支持される、請求項１１に記載のモジュラ型水処理ユニット。
【請求項１３】
前記主チャンバが、前記スクリーンまたはドラムフィルタによってフィルタされた水を生物処理するために、バクテリアを担持するように構成された生物フィルタ媒体を有する生物フィルタを備える、請求項１０ないし１２のいずれか１項に記載のモジュラ型水処理ユニット。
【請求項１４】
前記バクテリアが好気性または嫌気性バクテリアを備える、請求項１２に記載のモジュラ型水処理ユニット。
【請求項１５】
前記バクテリアが好気性バクテリアを備え、前記主チャンバの下方部にガス出口を含み、これを介して前記主チャンバ内の水を泡立たせるために空気を供給することができる、請求項１４に記載のモジュラ型水処理ユニット。
【請求項１６】
前記主チャンバが、前記主チャンバを通過する前に、前記スクリーンまたはドラムフィルタからの水を生物フィルタするために別のバクテリアを担持するように構成された別の生物フィルタ媒体を担持または保持する手段を含む、請求項１３に記載のモジュラ型水処理ユニット。
【請求項１７】
前記担持または保持する手段が、前記別の生物フィル媒体をその上で担持する透水性の手段を含む請求項１６に記載のモジュラ型水処理ユニット。
【請求項１８】
１つまたは複数の他のタンク部の選択された前記チャンバ部またはチャンバ部群が、前記チャンバ部またはチャンバ部群内の水をオゾンに暴露するための手段を含む、請求項１０ないし１７のいずれか１項に記載のモジュラ型水処理ユニット。
【請求項１９】
１つまたは複数の他のタンク部の選択された前記チャンバ部またはチャンバ部群が、前記チャンバ部またはチャンバ部群内の水を処理するためにバクテリアを担持するように構成された生物フィルタ媒体を担持する、請求項１０ないし１７のいずれか１項に記載のモジュラ型水処理ユニット。
【請求項２０】
１つまたは複数の他のタンク部の選択された前記チャンバ部またはチャンバ部群が、前記チャンバ部またはチャンバ部群内の水を紫外線に暴露するための手段を含む、請求項１０ないし１６のいずれか１項に記載のモジュラ型水処理ユニット。
【請求項２１】
前記複数のタンク部の後続タンク部内に水出口を含み、前記水出口が前記タンク部の前記側壁の前記連結した上端の下にある、請求項１ないし２０のいずれか１項に記載のモジュラ型水処理ユニット。
【請求項２２】
処理される水体内に配置され、請求項１ないし２１のいずれか１項に記載のモジュラ型水処理ユニットを支える浮揚性支持体を備える水処理装置。
【請求項２３】
前記浮揚性支持体が、前記水処理ユニットを前記浮揚性支持体上に支持するために各タンク部の間に延在する横行支持アームを含み、隣接するタンク部の前記側壁の前記連結した上端が前記支持アームに着座するサドルを形成する、請求項２２に記載の水処理装置。
【請求項２４】
前記浮揚性支持体が複数の浮きまたは浮揚体を含む、請求項２２に記載の水処理装置。
【請求項２５】
前記浮揚性支持体の両側に浮きまたは浮揚体を含み、前記支持アームが前記側部の浮きまたは浮揚体の間に延在し、これらの上に支持される、請求項２３に記載の水処理装置。
【請求項２６】
処理される水を保持する保持コンテナと、前記保持コンテナからの水を収容するための少なくとも１つの泡分留装置または分離機と、請求項１ないし２１のいずれか１項に記載の少なくとも１つのタイプの水処理ユニットとを備える水処理装置。
【発明の詳細な説明】
【技術分野】
【０００１】
本発明はモジュラ型水処理ユニットに関し、より詳細には、浄化、清浄あるいは水の中の不純物または汚染物質を除去する目的で水を処理するためのモジュラ型水処理ユニットに関する。本発明はまた、水体を処理するまたは他の水処理用途で使用するためのモジュラ型水処理ユニットを含む水処理装置に関する。
【背景技術】
【０００２】
成長しつつあるコミュニティでは、生成される汚れた水または汚染された水の容量が増え続けているため、水を浄化する、または水から汚染物質を除去するための水処理が絶えざる問題となってきている。汚染された水は、家庭用地、商業用地、水産養殖を含めた農業用地で生成され得る。多くの場合、汚染された水は一次的な処理を受け、次いで固体が沈殿する沈殿ポンドに単に置かれるだけの場合が多い。水不足に備えて汚染された水を処理して、再利用またはリサイクルすることができることが極めて望ましい。また、比較的汚染されていない状態でその中に水を維持するための水タンクを含めて水体の水を処理することが望ましい。
【０００３】
自動または非自動式車両洗浄装置は、車両を洗浄するのにかなり大量の水を使用する。車両洗浄過程で使用される水は、洗浄過程で使用される石鹸および洗剤の泡、ならびにグリース、油、ブレーキパッド塵、道路の汚れおよび他の汚染物質によって汚染され得る。さらに、洗浄過程でかなりの量の水が使用されることは、水節約の観点から望ましくないことが明らかである。したがって水を節約するために、車両洗浄装置で使用される水を再利用またはリサイクルするための効果的な手段を有することが望ましい。しかしながら、洗浄過程で使用される水には汚染物質が含まれるため、車両洗浄装置からの水の再利用には問題がある。
【特許文献１】国際出願番号第ＰＣＴ／ＡＵ２００２／０１２４５号
【発明の開示】
【発明が解決しようとする課題】
【０００４】
本発明は、多くの異なる水処理用途において使用され得るモジュラ型水処理ユニットを提供することを目的とする。本発明は別の態様において、中の水を処理するために水体上で使用され得るモジュラ型水処理ユニットを含む水処理装置を提供することを目的とする。本発明は別の態様において、洗車装置または設備で使用される水を処理し清浄するための使用に特に適しているモジュラ型水処理ユニットを含む水処理装置を提供することを目的とする。本発明の他の目的および利点は、以下の記載から明らかになるであろう。
【課題を解決するための手段】
【０００５】
本発明はしたがって、第１の態様において、水を処理するために一列に配置された各チャンバを画定する複数の連結したタンク部を有するモジュラ型タンクを含み、該それぞれのタンク部が対向する側壁を有し、隣接する該タンク部の隣接する側壁がそれらの共通の上端で結合され、該タンク部の該共通の上端が堰を形成し、該ユニット内で処理される水が、該各チャンバ内での処理のために１つのタンク部から隣接するタンク部へこの堰を越えて流れることができるモジュラ型水処理ユニットを提供する。
【０００６】
明細書を通して使用される用語「水」は、汚染された水、あるいは不純物または固体を担持する他のいかなる水または液体も包含する。
【０００７】
好ましくは、モジュラタンクのタンク部は一体式に形成される。好ましくは、タンク部は、例えば回転成形工程でプラスチックで一体式に形成される。したがって、一体式に形成されることによって側壁の結合した上端が結合される。
【０００８】
一実施形態において、各タンク部の壁の結合した上端によって画定される各堰は、水平面に対して上流の堰または堰群より低いレベルにあるため、水は重力の影響を受けて各堰を越えて１つのタンク部から次のタンク部へ流れる。あるいは、各堰はほぼ同じ水平レベルにあってよい。好ましくは隣接するタンク部の隣接する側壁は、その結合した上端から下方および外側に傾斜している。
【０００９】
好ましくは、１つのタンク部の水処理チャンバを１つのチャンバ部から隣接するチャンバ部へのバッフル手段の両側のチャンバ部に分割するために、少なくとも１つのタンク部にバッフル手段が形成される。好ましくは、使用中水がバッフル手段の下方端部分の下またはその中を通って流れるように、バッフル手段が配置される。バッフル手段は好適には、平坦なバッフルすなわちパネルを備える。バッフルすなわちパネルは、タンク部の下端部の上に上げられた状態であり、水が１つのチャンバ部から隣接するチャンバ部にバッフルすなわちパネルの下を流れることができる。あるいはバッフルすなわちパネルは、水が中を流れるようにその下端部に開口、あるいはスロットまたは切抜き部を備えて形成されてよい。好ましくはタンク部は、その対向する側部に直立スロットまたは溝を備えて形成され、バッフル手段の対向する縁部をタンク部内で支持されるように配置することができる。
【００１０】
好ましくはタンク部の１つは、拡大された主タンク部を備える。主タンク部は好適には、他のタンク部のチャンバの容積と比較して拡大された容積を有する主チャンバを画定する。好適には、水入口が処理される水を主タンク部に供給する。好ましくは、水入口から主チャンバ内に流れ込む水をフィルタリングするために、スクリーンフィルタが主タンク部に連結される。スクリーンフィルタは好適には、ドラムフィルタ組立体を備える。ドラムフィルタ組立体は好適には、ドラムの周囲に延在するスクリーンまたはメッシュ材を有する回転可能なフィルタドラムを備え、およびスクリーンまたはメッシュ材を通過して処理される水をフィルタドラムに供給するための水入口が形成される。ドラムを支持し、回転させるための好適な手段が提供される。このような手段はドラムを回転させるためのモータ手段を備えてよい。しかしながら、好適にはドラムは、ドラム内に流れ込む水によって回転するように駆動される。好適には水入口は、ドラムの内部に延在する供給パイプを備えることが好ましい。ドラムフィルタは好適には、国際出願番号第ＰＣＴ／ＡＵ２００２／０１２４５号（特許文献１）に開示されるタイプである。しかしながら、他のタイプのドラムフィルタを採用してよい。
【００１１】
ドラムのスクリーンまたはメッシュ材を清浄するための手段が形成されてよい。スクリーンまたはメッシュ材を清浄するための手段は、スクリーンまたはメッシュ材に水を噴霧するおよび／または加圧空気を添加する手段を含んでよい。スクリーンまたはメッシュ材から排出された物質を収集するために、ドラム内に好適な手段が形成される。物質を収集するための手段は、ドラム内に支持されるトラフまたはチャネルを有してよい。トラフまたはチャネルは好適には、ドラム内の軸方向に延在する。トラフまたはチャネルは、中に収集する物質を廃棄するように誘導してよい。スクリーンまたはメッシュ材を清浄するための水は、外部の清浄な水源から供給されてよい。あるいはスクリーンまたはメッシュ材を清浄するための水は、主チャンバ内の水から抽出してよい。この目的のために、主チャンバの下方部にポンプを備えてよい。
【００１２】
スクリーンまたはフィルタドラムは、スクリーンまたはドラムフィルタによってフィルタされた水を収集する主チャンバ上に支持されてよい。フィルタドラムは、主チャンバ上のフレーム上で支持されてよい。フレームは、ドラムフィルタ組立体のフィルタドラムが回転するためにその上に支持されるローラを担持してよい。フレームは、主タンクの上端で肩部上で支持されてよい。
【００１３】
主チャンバは、生物フィルタを備えてよい。生物フィルタは、主チャンバ内の生物フィルタ媒体によって形成されてよく、この媒体は、スクリーンまたはドラムフィルタによってフィルタされた水を生物的に処理するためにバクテリアを担持するように適合される。一般に主チャンバ内の水を処理するためのバクテリアは、嫌気性バクテリアを有する。処理される水が油で汚染されている場合、生物フィルタ媒体は、主チャンバ内に流れる水の中の油を処理するために油分吸収バクテリアを担持してよい。主チャンバ内に垂直バッフル手段を形成してよい。生物フィルタ媒体は、バッフル手段の片側に配置されてよい。好ましくはバッフル手段は、使用中水がバッフル手段の下端の下またはその中を通って流れるように配置される。バッフル手段は好適には、パネル、好適には平坦なパネルを備える。パネルの下を水が流れることができるように、主タンク部の下端の上にパネルを持ち上げてよい。あるいはパネルは、中を水が流れるように、その下端部に開口、あるいはスロットまたは切抜き部を有して形成されてよい。好ましくは主タンク部は、その反対側に垂直溝を備え、パネルの対向する側縁部をタンク部内に支持されるように配置することができる。
【００１４】
また、スクリーンまたはドラムフィルタからの水を生物処理するために、他のバクテリアを担持する別のバクテリア媒体を担持または保持するための手段が主タンク部に連結して形成されてよい。担持または保持手段は、主チャンバ上に配置されてよい。担持または保持手段は、主チャンバへ通過する前にスクリーンまたはドラムフィルタからの水を生物的にフィルタするために別のバクテリア、一般には嫌気バクテリアを担持するように適合された生物フィルタ媒体を担持または保持してよい。担持または保持手段は、生物フィルタ媒体を担持することができる透水性手段を備えてよい。透水性手段は、穿孔されたまたはメッシュパネルなどを備えてよい。穿孔されたまたはメッシュパネルは、生物フィルタ媒体を包含するコンテナの底部パネルを備えてよい。スクリーンまたはドラムフィルタは、コンテナ上に支持されてよい。好適にはコンテナは、主タンク部に着座する。
【００１５】
１つまたは複数の他のタンク部の選択されたチャンバ部は、チャンバ部内の水をオゾンに暴露するために手段を含んでよい。１つまたは複数の他のタンク部の選択されたチャンバ部は、チャンバ部内の水を空気に暴露するために手段を含んでよい。１つまたは複数の他のタンク部の選択されたチャンバ部は、チャンバ部内の水を紫外線に暴露するために手段を含んでよい。
【００１６】
主チャンバは、主チャンバ内の水を空気またはオゾンに暴露する手段を含んでよい。このャンバ内を通って上方に泡立たせるために、主チャンバの下端にオゾン反応器／オゾン反応器群またはオゾン生成器／オゾン生成器群などのオゾン源からオゾンを供給してよい。オゾンは、主チャンバ内に浸水した空気またはガスブロックに供給されてよく、または主チャンバの下方部の出口または複数の出口を介して供給されてよい。あるいは主チャンバ内の水を泡立たせるために、空気またはガスブロックに空気が供給されてよく、主チャンバは中の生物フィルタ媒体上に好気性バクテリアを担持する。生物フィルタ媒体は、複数のプラスチック管、メッシュ材または他の要素などの複数の別個の要素を備えてよい。
【００１７】
好ましくは、中の水がオゾンに暴露されているチャンバまたはチャンバ部は、チャンバ内を水が下方に向かって流れており、チャンバの下方部にオゾン出口が形成されるチャンバを備える。中の水がオゾンに暴露されているチャンバは、チャンバ内の水がオゾンに暴露される時間を拡大するために、複数の別個の要素などの流れ制限媒体または他の流れ制限手段を含んでよい。
【００１８】
好ましくは水出口は、最後のまたは後続のチャンバあるいは一連のチャンバのチャンバ部と連通する。出口は、後続チャンバまたはチャンバ部を有する後続タンク部から外へ延在する。最後のまたは後続のチャンバあるいはチャンバ部は、中の水を紫外線に暴露するための手段を含んでよい。このような手段は、１つまたは複数の紫外線ランプを備えてよい。紫外線ランプまたは紫外線ランプ群は、チャンバまたはチャンバ部内で垂直姿勢で支持されてよい。
【００１９】
水処理ユニット内の処理される水は、各堰を越えて各バッフル手段の下端の下または中を通ることによって蛇行式にユニット内を流れる。
【００２０】
本発明は別の態様において、処理する水体内に配置するための浮揚性支持体を備え、該浮揚性支持体は、上記のタイプのモジュラ型水処理ユニットを担持する。好ましくは、水処理ユニットへの水入口は水体と連通する。水処理ユニットへの水入口は、１つまたは複数のポンプによって水体と連通してよい。ポンプは水中ポンプであってよい。ポンプは、船、プラットフォームまたは浮揚体上の１つまたは複数のバッテリから電力を供給されてよい。バッテリまたはバッテリ群は、ソーラ充電であってよい。好ましくは水処理ユニットからの出口は、処理された水を水体に戻すように誘導する。
【００２１】
浮揚性支持体は好適には、浮きなど浮揚体を含む。浮きは浮揚性支持体の両側に形成されてよい。浮きは、伸長した浮きまたは複数の別個の浮きを含んでよい。浮きは、水処理ユニットの両側に形成されてよい。通路は浮揚性支持体の周辺、および水処理ユニットの周囲に少なくとも部分的に延在してよい。
【００２２】
好ましくは水処理ユニットが主タンクを含む場合、主タンクは、浮揚性支持体の一端に配置される。追加の浮きが浮揚性支持体の一端に形成されてよい。好ましくは浮揚性支持体は、隣接するタンク部が支持アームをまたぐように、各タンク部の間に延在する横行支持アームを含む。好ましくは隣接するタンク部の隣接する壁の結合された上端は、各支持アーム上に着座するサドルを形成する。好ましくは支持アームの対向する端部は、対向する側部の浮きによって支持される。支持アームの対向する端部は、浮きの中の横行溝内に着座してよい。あるいは支持アームは、浮きの上に支持される通路を含むプラットフォームのフレームの一部であってよい。浮きは一般にプラスチック製の空気を含む浮きであるが、他の形態の浮きであってよい。
【００２３】
本発明は別の好ましい態様において、処理する水を保持するための保持コンテナ、該保持コンテナからの水を収容するための少なくとも１つの泡分留装置または分離機、および該少なくとも１つの泡分留装置からの水を収容するための上記に記載のタイプの少なくとも１つの水処理ユニットを備える。
【００２４】
好ましくは装置内で処理する水は、重力の影響により保持コンテナから処理済みの水の出口へと流れる。処理される水が、再利用のために処理済みの水出口を出る前に装置内を再循環するように、出口、すなわちモジュラ型水処理ユニットからの出口は選択的に保持コンテナに接続されてよい。
【００２５】
保持コンテナは好適には、その下端に廃棄出口を有するホッパー様のタンクを備える。ホッパー様タンクは好適には、支持フレームによって垂直姿勢に支持される。コンテナの下端は好適には、廃棄出口に向かって先細になるように好適には円錐形態の先細の断面である。廃棄出口は好適には、少なくとも１つの泡分留装置または分離機に接続するためにタンクの上端に形成される。廃棄出口は好適には、保持タンク内の水の上方レベルの下の位置で、保持タンク内の水と連通するように配置される。廃棄出口は好適には、トラップを介して少なくとも一つの泡分留装置に接続される。
【００２６】
少なくとも１つの泡分留装置または分離機は好適には、タンクの廃棄出口に接続される上端に入口を備え、その下端に廃棄出口を備える。泡分留装置または分離機は好適には、泡分留装置または分離機内で好適には同軸上に配置される内部中空部材を含み、この部材がタンクを内部チャンバと外部チャンバとに分離し、入口は内部チャンバと連通し廃棄出口は外部チャンバと連通する。廃棄出口から廃棄物の通過を助けるために空気供給源が形成されてよい。また、廃棄出口を通る廃棄物の通過を助けるために水の噴霧器など水を加えるための手段が形成されてよい。
【００２７】
好ましくは泡分留装置または分離機からの廃棄出口は、内部チャンバの下端に形成される。
【００２８】
好ましくは、入口から廃棄出口に向かう水の流れに対して、中の水を泡立たせるために内部チャンバに空気を導入するための手段を形成してよい。好ましくは空気導入手段は、内部チャンバの下端に空気入口手段を備える。空気入口手段は、１つまたは複数のエアストーンまたは他の形態の空気出口を備えてよい。内部チャンバ内の汚染物質は、空気の泡によってチャンバの上端に向かい、内部部材（堰の作用をする）の上縁部を超えて外部チャンバ内に運ばれ廃棄出口へ進む。
【００２９】
好ましくは泡分留コンテナは円筒形タンクを備え、内部中空部材は、好適にはタンク内に同軸上に配置される中空の円筒形部材を備える。
【００３０】
代替の配置において、保持コンテナからの水を収容する第１チャンバと、廃棄出口を有する第２チャンバとにコンテナを分離するために、泡分留コンテナ内にバッフルが形成されてよい。第１チャンバは好適には水出口を含み、第１チャンバ内で気泡の形態で空気が通過するために、空気出口または出口が第１チャンバの下端に形成される。
【００３１】
好ましくは装置は、少なくとも２つの泡分留装置または分離機を含み、１つの泡分留装置または分離機の液体出口は、水をさらに処理するために泡分留装置または分離機を一連に配置するために、第２の泡分留装置または分離機の入口と接続される。好ましくは、水は重力の影響によって、第１泡分留装置または分離機の水出口から第２泡分留装置または分離機の水入口に流れる。この目的のために、第２の泡分留装置または分離機の水入口は、第１すなわち先行する泡分留装置または分離機の内部、すなわち第２チャンバの上端の下にある。
【００３２】
泡分留装置または分離機からの水出口は好適には、水処理ユニットの入口と接続される。水処理ユニットの出口から出る水は、装置内での再処理のために保持コンテナに接続されてよい。
【００３３】
本発明の理解をより容易にし、実際の効果を得るために、以下に本発明の好ましい実施形態を図示する添付の図面に対して言及する。
【発明を実施するための最良の形態】
【００３４】
図面の、まず図１から３を参照すると、本発明によるモジュラ型水処理ユニット１０が示されており、このユニットは、第１主タンク部１２と、第２および第３タンク部１３および１４とを含むモジュラベースタンク１１を含む内蔵型ユニットを備える。タンク部１２、１３および１４は好ましくは、プラスチックから回転成形するなどしてタンク１１と一体式に形成される。離間しているがそれらの共通の上端１７で一体式に結合される隣接するタンク部１２および１３の対向する側壁１５および１６によって、タンク部１２、１３および１４は互いから分離される。同様にタンク部１３および１４の対向する側壁１８および１９は離間しているが、それらの共通の上端２０で一体式に結合されている。しかしながら、壁１８および１９の上端２０が壁１５および１６の上端１７の下になるように、壁１５および１６は、壁１８および１９より高いことが明らかである。
【００３５】
我々の国際出願番号第ＰＣＴ／ＡＵ２００２／０１２４５号（特許文献１）に開示されるドラムフィルタ組立体と同様の構成のドラムフィルタ組立体２１が、主タンク部１２の上に支持され、タンク部１２の上端内、または上端上の肩部に着座するフレーム２５に搭載されるローラ２４の外側に支持される環状端部部材２３を含むフィルタドラム２２を備える。スクリーンまたはメッシュ材２６が、端部部材２３の間に形成されドラム２２の周辺に延在する。
【００３６】
入口ダクト２５（図３を参照）を介してドラム２２に水が供給され、ダクト２５は長手方向に離間する出口２６を有し、ドラム２２の回転に作用するためにドラム２２内のリブと協働するために、水がここを通ってダクト２５から流れることができる。
【００３７】
ドラムスクリーン材２６からの堆積物を捕らえるためにホッパー様チャネル２７が入口ダクト２４の上に配置され、軸方向にドラム２２の中へも延在する。チャネル２７に捕らえられた物質を排除するために、ドラム２２のスクリーン材２６に水を噴霧するおよび／または空気を吹き付けるために、噴霧バーまたは噴霧バー群（図示せず）がドラム２２の上に形成される。噴霧バーは、ポンプおよび清浄な水源および／または空気圧縮機または空気ポンプに接続されてよい。チャネル２７は、廃棄物収集チャンバまたは下水管に接続されてよい。
【００３８】
ドラムフィルタ２１は、ドラムフィルタ２１を通ってフィルタされた水を収容するために、タンク部１２内の中の垂直バッフル２９の片側に画定されるチャンバ２８上に支持され、バッフル２９の側縁部は、タンク部１２の対向する側部の溝に配置される。チャンバ２８は、チャンバ２８内の水を生物的に処理するためにバクテリアを担持し、チャンバ２８内の水の流れを遅くするための媒体３０を包含する。バクテリアは典型的に、水中の油を除去するために、例えば油を吸収するバクテリアなど嫌気性バクテリアであるが、いくつかの実施形態では好気性バクテリアであってよい。媒体３０は、媒体を担持する任意の形態バクテリアであってよく、典型的には、複数の短い長さのプラスチック管または他の部材を備えてよい。
【００３９】
バッフル２９の下端は切抜き部または凹部３１を備え、これがタンク部１２のベースおよびスロット様の開口３２を画定し、チャンバ２８からの水がその中を通り図２および３の矢印で示すように上方に向かって流れ、堰を形成する壁１５および１６の共通端部１７を超えタンク部１３内へと流れる。タンク部１３は、バッフル２９と同様の構造である中央垂直バッフル３３によって、チャンバ部３４および３５に分離され、これにより水がチャンバ部３４を下方に流れ、バッフル３３の下を通り、チャンバ部３５を上方に流れる。
【００４０】
チャンバ部３４はその下方領域にオゾン出口３６を含み、オゾンがこの出口から出て、チャンバ部３４内を下方に向かって流れる水の中を上方に進む。オゾン出口３６は、１つまたは複数のエアストーンなどの任意の形態の出口であってよい。オゾンと、チャンバ部３４内を流れる水の接触時間を増大させるために、チャンバ部３４は、例えば小さなプラスチック管、メッシュまたは他の任意の流れ制限手段の複数の分離要素などの流れ制限媒体を含む。水の流れは重力の影響を受けてこの媒体によって制限され、チャンバ部３４内を上方に流れるオゾンと、チャンバ部３４内を下方に流れる水との接触時間が延長されるようになる。
【００４１】
タンク部１４は同様に、中央バッフル３９によってチャンバ部３７とチャンバ部３８とに分離され、やはりチャンバ部３７の下方部にオゾン出口４０が形成され、チャンバ部３７内を下方に流れる水がオゾンに暴露される。中を水が下方に流れるチャンバ部３７はまた、チャンバ部３４で使用されるものと同様の流れ制限媒体を含んでよい。
【００４２】
さらに、チャンバ２８内を上方にオゾンが通過するためにオゾン出口４１がチャンバ２８内に形成されてよい。出口３６、４０および４１は代替として、所望であれば気泡が選択的にチャンバ部３４および３７内を上方に流れることができるように、空気供給源に接続されてよい。
【００４３】
重力の影響を受けて処理済の水がユニット１０から流れることができるように、タンク部１４の外壁の壁端部２０の下に出口４２が形成される。
【００４４】
さらにユニット１０は、タンク１２を覆い、ドラムフィルタ２１を収容し覆うために拡大された端部４４を含む取り外し可能カバー４３を含む。
【００４５】
オゾン出口３６、４０および４１にオゾンを供給するために、ドラムフィルタ２１に隣接する主タンク１２の外側は、オゾン生成器４６を収容し得る拡大された一連のくぼみまたは凹部４５を備え、オゾン生成器４６は中を空気が通過する管の形態であり、管は管内を流れる空気中の酸素をオゾンへと変換するための紫外線ランプを収容する。
【００４６】
チャンバ２８から上方に壁１５および１６の上方端部１７を超えて水が流れるのを助けるために、バッフル２９の外側のチャンバ２８の下端にエアストーンまたはストーンなどの１つまたは複数の空気出口４７が形成され、圧縮空気源に接続されてよい。同様に、同じ目的のために、チャンバ３５および３８の下端に空気出口４７が形成されてよい。
【００４７】
またチャンバ部３８内を上方に流れる水は、チャンバ部３８内に下方に延在する紫外線ランプ４８によって実現する最終処理のために紫外線に暴露される。
【００４８】
上記に記載のモジュラ型水処理ユニット１０は、水を処理するための多くの異なる用途を有し、図４から１１に示される一用途は、車両洗浄施設からの水を処理するために装置５０と共に使用され、水は通常洗浄過程で使用される石鹸および洗剤の泡、ならびにグリース、油、ブレーキパッド塵、道路の汚れおよび他の汚染物質を包含する。装置５０はプラットフォーム５１上に支持されることで容易に搬送することができ、全体的に円筒形状であり支持フレーム５３上に垂直姿勢で支持されるホッパー様の形態の保持タンク５２を含む。タンク５２の下端５４は円錐形の形態であり、下水管ラインまたは廃棄物収集タンクに接続され得る弁制御廃棄物出口５５で終端する。タンク５２は、処理される水の第１入口５６を備える。タンク５２はまた、主供給源からの水など水を補給するための第２入口５７を備え、タンク５２内の水が所定のレベルに維持されるように、入口５７は浮遊弁によって制御される。タンク５２はまたトラップ５９を組み込む出口５８を含み、トラップ５９によって水の表面レベルより低いレベルでタンク５２内の水と連通するため、出口５８は水の表面に浮遊する物質により汚染されることがない。
【００４９】
第１泡分留装置／分離機６０がタンク５２に隣接して支持され、図８から１０にも示されるように分留装置６０は外部円筒形タンク６１を含み、これも垂直姿勢で支持フレーム６２上に支持され、タンク６１はその下端に弁制御廃棄物出口６４内で終端する円錐部分６３を含み、またこの出口６４は下水管または廃棄物収集タンクに接続されてよい。タンク６１と同軸である内部円筒形タンクまたは壁６５がタンク６１と同軸上に配置され、内部タンク６５はその下端で閉鎖する。したがってタンク６５は、内部チャンバ６６、および内部タンク６５と外部タンク６１の壁の間に外部環状チャンバ６７を画定する。内部タンク６５の下端は、一連の外部パイプ６８に接続され、タンク６２からの水がタンク出口６８からタンク６５の上端に供給される。タンク６５下端はまた、典型的には１つまたは複数のエアストーンの形態である出口６９を含み、このエアストーンが空気の供給源に接続されることにより、出口６９からタンク６５の上端に流れる水の中に気泡を立たせることができる。タンク６５の水面に到達する気泡が泡を形成し、この泡が水中の固体汚染物質を廃棄物出口６４から外へ排出するためにタンク６５の頂縁部７０を超えてチャンバ６７に運ぶ。廃棄物出口６４に隣接する出口を有する空気ライン７１が、廃棄物出口６４から外へ汚染物質を搬送するのを助ける。また、廃棄物出口６４を介してタンク６１の下端を洗い流すために、廃棄物出口６４に隣接して廃棄物噴霧ヘッド７２を配置してよい。廃棄物噴霧ヘッド７２は、弁を介して廃棄物出口ライン６８に接続されるまたは代替として、主要な水供給源に接続されてよい。
【００５０】
また装置５０はこの場合分留装置６０と同様の構造であり、外部タンク７５内に配置される内部タンクまたは壁７４を含む第２泡分留装置／分離機７３を含む。分留装置６０の外部パイプ６８が分留装置７３の入口７６に接続されることにより、分留装置６０からの水が重力の影響によって分留装置７３の内部タンク７４に供給され、出口７６はタンク６５に対する入口６８の接続部より低い位置にある。分留装置７３はまた、下水管ラインまたは廃棄物収集チャンバに接続される弁制御廃棄物出口７７を含む。分留装置７３は分留装置６０と同様に機能し、分離装置入口７６から分留装置７３の内部タンク７４に流れ込む水の中を気泡が上方に移動する。分離装置の外部タンク７５は、点線で示されるようにタンク６１と同じ高さであってよく、または示されるようにこれより低くてよい。分留装置６０および７３はまた、カバーまたは蓋７７および７８を備える。分留装置７３からの廃棄物出口７９（出口６８と同様の）は、ドラムフィルタ２１の入口ダクト２５と接続されることによって水処理ユニット１０に接続される。
【００５１】
使用中、汚染された水は最初にタンク５２に供給され、固体または重量のある物質がタンク５２の下方円錐部５４内に収集され、そこから弁制御される出口５５を介してこれを除去することができる。タンク５２の上方部からの水は、汚染物質を除去する気泡に暴露するために第１分留装置６０に流れ、さらにこの汚染物質は、入口７１からの空気および／または水噴霧器７２からの水の助けを借りて、やはり弁制御出口である出口６４を介して排出される。分留装置６０からの清浄された水は、更なる処理のために重力の影響によって分留装置７３に流れ、廃棄物は弁制御出口７７を通って出て行く。
【００５２】
次いで水はドラムフィルタ２１内で処理され、タンク部１２内のバクテリア、およびタンク部１３および１４内のオゾンに暴露し、可能な限りチャンバ３８内の紫外線に暴露するために分留装置７３からモジュラ型水処理ユニット１０に流れる。清浄された水は次いで、出口４２から流れ出る。
【００５３】
出口４２は、さらなる清浄のためにタンク５２への入口５６に戻るように接続されてよい。実際は、使用するために装置５０から水を回収する前に、水は装置５０内で４回から６回再循環されてよい。保持タンク５２内の水のレベルを維持するために、入口５７に連結する浮動弁が水のレベルの低下を検地した場合、入口５７を介して水が添加される。
【００５４】
実施形態は２つの泡分離装置を示すが、このような分離装置１つのみが配置される、または代替として３つ以上のこのような分離装置が配置されてよい。しかしながら、用途に応じて異なるシーケンスでフィルタリングまたは処理要素を配置してもよい。また、保持タンク５２に流れ込む水をユニット１０内で最初にフィルタリングするために、保持タンク５２の前に別の水処理ユニット１０が配置されてよい。
【００５５】
装置５０に関連して図４から１１に記載されるモジュラ型水処理ユニット１０は、水処理の目的で異なる用途においてスタンドアローンの水処理ユニットとして使用されてよい。
【００５６】
次に図１２から２５を参照すると、本発明の別の実施形態による水処理装置８０が示されており、これは上記に記載のユニット１０と同様のモジュラ型水処理ユニット８１を含み、このユニットは、処理すべき水体中に浮かぶために浮揚性支持体または基板８２の上に支持される。モジュラ型水処理ユニット８０は、単一のプラスチック成形品を備え得る１部品のタンク８３を含み、図２２から２６に示されるように、タンク８３は、主タンク部８４、およびさらに相互接続される一連の端部８５を含む。各タンク部８４および８５の隣接する端部壁は、それぞれの対応する上端８６、８７、８８、８９および９０で連結され、各端部８７、８８、８９および９０の高さは、主タンク部８４から離れるにつれてそれぞれ隣接する端部８６、８７、８８および８９より次第に小さくなっている（図２６参照）。主タンク部８４は主チャンバ９１を画定し、各タンク部８５は各チャンバ９２、９３、９４、９５および９６を画定し、各タンク部の隣接する壁の間に横行チャネル９７、９８、９９、１００および１０１を画定する。
【００５７】
先に記載のものと同様のドラムフィルタ１０３は、主タンク部８４のチャンバ９１の上に支持される。チャンバ９１は、チャンバ９１内の水を生物処理するため、およびチャンバ９１を通る水の流れを遅くするためにバクテリアを担持する媒体１０４を包含する。
【００５８】
垂直横行バッフル１０５が、各チャンバ９２、９３、９４、９５および９６内に形成される。したがって各チャンバ、例えばチャンバ９２は、バッフル１０５の反対側でチャンバ部１０６と１０７とに分離される。他のチャンバ９３、９４、９５および９６内のバッフル１０５は同様に、各チャンバを２つのチャンバ部に分離する。バッフル１０５の下端には一連の切抜き部１０８が形成される。あるいは切抜き部１０８は、バッフル１０５の下端の開口で置き換えてよい。別の構成において、水がバッフル１０５の下縁部の下を流れるように、バッフル１０５は各タンクの底部の上に持ち上げられてよい。最後のタンク部８５の外壁に水の出口１０８が形成され、この出口１０８は２つの連結するタンク部８５の上端９０より下にある。
【００５９】
ユニット８１はさらに、タンク部８４および８５と、ドラムフィルタ１０３とを覆い密封するように成形される取り外し可能カバー１０９を含み、図２０から２５に示されるカバー１０９は、図１２のものとは幾分異なる構造である。
【００６０】
図２４に示されるように、ドラムフィルタ１０３を通って流れる水は、主タンク部９１内に進み、そこで媒体１０４上で成長するバクテリアによるバクテリア処理を受ける。次いで水はタンク８４の壁の上端８６を越えて、チャンバ部１０６へ下方に流れ、バッフル１０５内の切抜き部１０８内を通り、チャンバ部１０７を上り、次の端部８７を越えて流れるなどする。したがって水は、図２０の矢印で示すように各タンク部８５を通って蛇行式に流れ、各バッフル１０５の片側を下方に、反対側を上方に流れる。流れは、処理済の水が出口１０８を介して外へ流れるまで続く。
【００６１】
チャンバ部１０６（および他のチャンバ９３、９４、９５および９６内の対応する部分）は、その下端にガス出口１１０を有し、この出口を通ってオゾンまたはオゾンを豊富に含む空気が、チャンバ部１０６内に流れ込む水の中を上方に移動することができる。チャンバ部１０６が流れを制限するための媒体を担持することにより、チャンバ部１０６内を上方に流れるオゾンと、チャンバ部１０６内を下方に流れる水の接触時間を延長することができる。また所望により、選択的に気泡がチャンバ部１０６内を上方に流れることができるように出口１１０は空気供給源に接続されてよい。
【００６２】
チャンバ部１０７（および他のタンク部１０５の対応するチャンバ部）内を上方に流れる水が紫外線に暴露されるように、チャンバ部１０７（および他のタンク部１０５の対応するチャンバ部）は、紫外線ランプ１１１を含んでよい。
【００６３】
図１２から２１の実施形態のモジュラ型水処理ユニット８１は陸上で使用されてよいが、このユニットは浮揚性構造体８２に搭載されるように構成され、図１２から１６においてこの構造体は、両側が半円形断面の延長された一組の浮き１１２、およびユニット８１の各チャネル９７、９８、９９、１００および１０１の中に延在し、浮き１１２の頂部の横行溝１１４内に着座する横方向に伸長する支持部材またはロッド１１３を含む。モジュラ型水処理ユニット８１が使用中ほぼ水平に配向されるように、端部８６、８７、８８、８９および９０は共通のほぼ水平面に配置されてよく、または図２４のように異なる高さであってよい。支持部材またはロッド１１３は、ロッド１１３の上に着座するためのサドルとして作用する端部８６、８７、８８、８９および９０の下の、各タンク部８４および８５の側壁の頂部に配置される。タンク８４および８５は、装置１１７が水体上に浮かぶとき、ほぼ水中に沈められる。
【００６４】
この領域にさらに浮揚性支持体を形成するために、装置８０のドラムフィルタ端部の浮き１１２の間に付加的浮き１１５が形成される。水処理ユニット８１を囲繞するために、浮き１１２および１１５の頂部に周辺通路１１６が付加的に形成される。
【００６５】
図１７から２１の水処理装置１１７の実施形態は図１２から１６の実施形態と同様であるが、この場合浮き１１８は複数の個々の浮きを備える。装置１１７は、各タンク部８４と８５の間のチャネル内に配置するための横行部材１１９’を含む支持フレーム１１９を有し、浮き１１７は、支持フレーム１１８に固定されている。
【００６６】
使用中、図１２から２１の水処理装置８０（または１１７）は処理される水体中に浮かぶように構成され、水体をあちこちに移動するように自家動力式である、または他の手段によって液体区域をあちこちに移動することができる。あるいは装置は、固定位置に投錨されるまたはつなぎ留められてよい。ドラムフィルタ１０３に水を汲み出すために水中ポンプ（図示せず）が形成され、この水は次に、処理のためにタンク部８４および８５の各チャンバ内に進む。あるいは、ポンプは浮揚構造体８２の上に搭載されてよい。ポンプの動力は、ショアパワーまたはバッテリまたは浮揚構造体８２に支持される生成器によって提供されてよい。ユニット８１を通過する水は、処理済廃棄物出口１０８を通って水体に戻るように流れる処理済みの水によって連続的に処理される。
【００６７】
図２５から２９は、本発明による水処理ユニット１２０の別の実施形態を示し、これは図２０から２５のユニット８１と同様であり、ユニット８１のものと同様の構成要素は、同様の数字が与えられている。しかしながらこの場合、上端８６、８７、８８、８９および９０は、ほぼ水平な同じ面内に配置される。さらに、生物媒体保持器１２１がタンク部８４に接して着座される。媒体保持器１２１は、対向する側部壁１２２と端部壁１２３とを有し、保持器１２１がタンク部８４に着座すると、これらはタンク部８４の側部壁および端部壁の延長部と整列し、これを構成する。保持器１２１はさらに、壁１２３と離間しこれと平行な端部壁１２４と底部壁１２５とを含み、生物媒体１２７（図２９参照）を保持するためにチャンバ１２６を画定する。底部壁１２５は、そこを通って水がタンク部８４に進むことができるように、開口されるまたは穴を開けられる。
【００６８】
保持器１２１はさらに、保持器１２１の上端に向かう位置で、側壁１２２の間に延在しそこに固定される開口トレイ１２８を含む。トレイ１２８の上にフレーム１２９が取り外し可能に着座し、このフレームが担持するローラ１３０上でフィルタドラム１３１が回転可能に支持される。
【００６９】
保持器１２１内の生物媒体１２７は、好気性バクテリアを担持する。さらに、通常水中に沈められるタンク部８４内には、嫌気性バクテリアを担持する媒体１３２が提供される。
【００７０】
処理される水の入口１３３は、フィルタドラム１３１の内部に延在する。すべての水処理構成要素が密封され覆われるように、カバー１３４はタンク部、保持器１２１およびフィルタドラム１３１を覆うように設計される。
【００７１】
ユニット１２０は、中の水を処理する目的で、処理される水体上に浮揚するために図１７から２１に示されるものと同様に浮揚性支持体１３４の上に支持されてよく、横行ロッドまたはアーム１３５が、各タンク部８４および８５の間の壁端部８６、８７、８８、８９および９０の下に配置され、浮き１３６によって両側で支持される。
【００７２】
使用中および図２９にも示されるように、最初の固体フィルタリングのために、水は水体中に沈められたポンプから入口１３３を通ってフィルタドラム１３１に供給され、フィルタされた水は、開口トレイ１２８を通ってバクテリア保持器１２１内に進み、中の媒体１２７に担持される好気性バクテリアによって生物処理される。次いでこの処理済みの水はさらなる生物処理のためにタンク部８４に進み、中の媒体１３２に担持される嫌気性バクテリアによって処理される。
【００７３】
次いでバクテリア処理された水は、図２９の矢印付きの線が示すような方法で主タンク部８４から出て、後続のそれぞれのタンク部８５に進み、堰として作用するタンク部の上端８６、８７、８８、８９および９０を超え、各バッフル１０５の下端の下またはこの中を通って、出口１０８を出て水体中に戻る。各タンク部８５内を通る水は、図２４を参照して記載した方法でオゾン、空気および／または紫外線に暴露される。
【００７４】
タンク部８５のチャンバ１０６はまた、さらに水を生物処理する目的でチャンバ１０６内を下方に向かって流れる水を処理するために、別の嫌気性バクテリアを担持する生物媒体１３７を担持してよい。チャンバ１０６からチャンバ１０６および１０７の下端のバッフル１０５の下またはこの中を通って進んできたチャンバ１０７内の水を泡立たせる目的で、オゾンが豊富な空気を供給するために、チャンバ１０７の下端にガス出口１３８が形成される。ガス出口１３８は任意の構造でよく、簡素なノズル、ガスまたはエアストーン、またはガス透過性パイプであってよい。タンク部８５内の１つのチャンバ１０６から隣接するチャンバ１０７に水を搬送するために、バッフル１０５の下端には一連の切抜き部または開口１３９が形成され、ここを通って１つのチャンバ１０６から隣接するチャンバ１０７に水が流れることができる。別の構成においてバッフル１０５は、バッフル１０５の縁部の下を水が流れることができるように、各タンク部８５の底部の上に持ち上げられてよい。水が出口１０８を通ってユニット１２０を出る前に水を紫外線処理するために、最終チャンバ１０７は１つまたは複数の紫外線ランプ１４０を包含してよい。
【００７５】
代替の構成において、ガス出口１３８はチャンバ１０６の下方部内にあってよく、チャンバ１０６内で出口１３８から上方に流れるオゾンが豊富な空気と、チャンバ１０６内で下方に流れる水の接触時間を延長することができるように、チャンバ１０６内の媒体が水の流れを制限する媒体を有する。またガス出口１３８は所望により、選択的に気泡がチャンバ１０６または１０７内を上方に向かって流れることができるように、空気供給源に接続されてよい。この構造において、チャンバ部１０７内を上方に流れる水が先に記載した方法で紫外線に暴露されるように、チャンバ部１０７は紫外線ランプ１４０を含んでよい。
【００７６】
図３０から３５に示される水処理ユニット１４１は先に記載したユニットと同様であり、第１主タンク部１４３、第２タンク部１４４および第３タンク部１４５を含むベースタンク１４２を含む。タンク部１４３、１４４および１４５は、プラスチックから回転成型されるなどして一体式に形成される。タンク部１４３、１４４および１４５は互いから分離され、タンク部１４３および１４５の対向する側壁１４６および１４７は離間しているがそれら共通の上端１４８で一体式に連結され、側壁１４６および１４７は外側に傾斜しており、それらの共通の上端１４８から下方に向かって互いから離れている。同様にタンク部１４４および１４５の対向する側壁１４９および１５０は互いから離れて傾斜しているが、それらの共通の上端１５１で一体式に連結され、壁１４９および１５０の上端１５１は、壁１４６および１４７の壁の上端１４８の下にある。
【００７７】
上記のドラムフィルタと同様の構造のドラムフィルタ組立体１５２が主タンク部１４３の上に支持されており、この組立体は、その周囲にスクリーンまたはメッシュ材１５４を有するドラム１５３を備える。ドラム１５３の内部に延在しタンク１４２の側部から外に延在する入口ダクトを１５５を介してドラム１５３に水が供給され、これにより、スクリーンまたはメッシュ材１５４が周囲に巻きつくドラム１５３内のパドルまたはリブに入口ダクト１５５内を出る水が作用することによって、ドラム１５３が回転することになる。ドラムスクリーン材１５４から排出されるごみを捕らえるために、傾斜するホッパー様チャネル１５６がドラム１５３内に延在し、やはりタンク１５２の側部を貫通して外に延在する廃棄物出口１５７に接続される。チャネル１５６によって捕捉され、廃棄物出口１５７を通って廃棄されるように誘導されるスクリーン材１５４からの物質を移動させるために、スクリーン材１５４の上に水を噴霧するために噴霧バーまたはバー群１５８がドラム１５３の上に形成される。噴霧バー１５８によって噴霧される水は、ユニット１４１の外部から供給されてよい、またはタンク部１４３の下方領域に配置されるポンプ１５９を介してタンク部１４３内の水から抽出されてよい。
【００７８】
ドラムフィルタ組立体１５２は、ドラム１５３の環状端部部材１６２が自由に回転するように支持される一組の溝つきローラ１６１を担持する支持フレーム１６０を含む。フレーム１６０はタンク部１４３内の肩部１６３に着座し、およびドラムフィルタ１５３によってフィルタされた水を収集するために、その中の垂直バッフル１６５の片側でタンク部１４３内に画定されるチャンバ１６４の上に着座し、バッフル１６５は、タンク部１４３の両側の溝１６６の中に配置される。この実施形態において、バッフル１６５は不浸透性であるが、中に複数の開口１６８を有する延長した底部壁１６７を含む。チャンバ１６４は、チャンバ１６４内の水を生物処理するため、およびチャンバ１６４内の水の流れを遅くするためにバクテリアを担持する媒体１６９を包含し、媒体１６４は穿孔された底部壁１６７上に担持される。媒体１６９は、水中で浮かぶように短い区切りのあるプラスチック管の形態であってよいが、代替の形態であってもよい。別の構成において、壁１６７の代わりに、メッシュまたは格子材の分離パネルがその底部壁の上でチャンバ１６４の下端内に支持されてよい。チャンバ１６４内で使用されるバクテリアは、典型的に好気性バクテリアである。中の水を泡立てるためにチャンバ１６４内に空気を供給し、好気性バクテリアの作用を補助するために、エアストーンなどの空気出口１７０がチャンバ１６４の下端に形成される。
【００７９】
底部壁１６７は、タンク部１４３のベースの上に持ち上げられる、またはバッフル１６５の下を水が流れることができるように切抜き部または凹部を備える。
【００８０】
タンク部１４４は、タンク部１４４内の対向する溝１７４内に収容される垂直に分離するバッフル１７３によって分離されるチャンバ１７１および１７２を含む。チャンバ部１７１の下方領域にガス出口１７５が形成され、供給パイプ１７６によってオゾンまたはオゾンが豊富な空気の供給源に接続される。タンク部１７１はまた、チャンバ部１７１内を流れる水を生物処理するためにバクテリアを担持する媒体１６９と同様の媒体を担持する。この場合、チャンバ部１７１内の媒体によって担持されるバクテリアは、嫌気性媒体を有してよい。バッフル１７３の下端は、媒体が着座する穿孔された剛性の直角の下方壁１７７を含む。
【００８１】
タンク部１４５はタンク部１４４と同様の形態であり、分離バッフル１７８はタンク部１４５を２つのチャンバ１７９および１８０に分離し、チャンバ１７９内にオゾンが豊富な空気のためのガス出口１８１が形成される。
【００８２】
上方壁端部１５１の下に位置するタンク部１４５の外壁内の処理済みの水の出口１８３を通って水が出る前に、水を紫外線処理するために、チャンバ１８０内に紫外線ランプ１８２が形成されてよい。
【００８３】
使用中および図３５の矢印の付いた線で示されるように、処理される水は最初に、入口ダクト１５５内に汲み上げられるまたは流れ込み、これを通ってフィルタドラム１５２内に出て行き、ドラムの回転を生じさせ、ドラムスクリーン材１５４を介してフィルタされ、生物処理のためにチャンバ１６４内に進む。次いで水は蛇行性に流れ、出口１８３を通って出て行く前にさらなる生物処理、オゾン処理に暴露され、および紫外線に暴露される。
【００８４】
ユニット１４１は陸上ベースの装置であってよい、または上記に記載の方法と同様に浮揚性の構造体の上に支持されてよい。
【００８５】
モジュラ型水処理ユニットは示されるおよび記載するもの以外の種々の構成であってよく、主タンク部に加えて任意の数の水処理タンク部を有してよい。いくつかの実施形態において、主タンク部は除去されてよく、水は別の一連のタンク部を通って通過することによって処理される。タンク部内のバッフルは、好ましくは取り外し可能なパネル様部材であり、それらはタンク部と一体式に形成される、または一緒に成型されてよい。
【００８６】
本明細書の従来技術に対する言及は、これらの従来技術が当分野における一般に共通の知識を構成することの確認としては受けとられるべきではない。
【００８７】
明細書および特許請求の範囲を通して使用される用語「備える（ｃｏｍｐｒｉｓｉｎｇ）」または「備える（ｃｏｍｐｒｉｓｅ）」あるいはそれらの派生語は、参照される提示の機能、完全体および構成要素の存在を特定するものとして考慮され、１つまたは複数の他の機能、完全体、構成要素またはそれらのグループの存在または付加を妨げるものではない。
【００８８】
上記は本発明の例示の実施形態によって提供されてきたが、当業者に明らかであるように、それに対するすべてのそのような変形および修正は、本明細書に記載されるように添付の特許請求の範囲内の本明細書の広範な範囲および境界内にあるとみなされる。
【図面の簡単な説明】
【００８９】
【図１】頂部カバーが外された、本発明の実施形態によるモジュラ型水処理ユニットの等角図である。
【図２】図１のユニットの端面図である。
【図３】図１のユニットの側面図である。
【図４】図１から３のモジュラ型水処理ユニットを組み込む水処理装置の等角図である。
【図５】図４の装置の上面図である。
【図６】方向Ｂからの図４の装置の端面図である。
【図７】方向Ａからの図４の装置の側面図である。
【図８】図４の装置の泡分留装置または分離機の等角図である。
【図９】泡分留装置または分離機の側面図である。
【図１０】泡分留装置または分離機の端面図である。
【図１１】図４および１の水処理装置および関連する水処理ユニットの作動を概略的に示す図である。
【図１２】本発明による代替の水処理装置の等角分解図である。
【図１３】図１２の装置の端面図である。
【図１４】図１２の装置の上面図である。
【図１５】図１２の装置の側面図である。
【図１６】図１２の装置の二重の輪郭図である。
【図１７】水処理装置の別の実施形態の等角図である。
【図１８】水処理装置の別の実施形態の等角分解図である。
【図１９】図１７の装置の端面図である。
【図２０】図１７の装置の上面図である。
【図２１】図１７の装置の側面図である。
【図２２】図１６および１７の装置内で使用するモジュラ型水処理ユニットの分解等角図である。
【図２３】図２２のユニットの二重の輪郭図である。
【図２４】図２２のユニットの側面図である。
【図２５】本発明によるモジュラ型水処理ユニットの別の実施形態の側面図である。
【図２６】図２５のユニットの分解図である。
【図２７】図２６のユニットの生物媒体保持器の拡大図である。
【図２８】浮揚性支持体に連結した図２５のユニットの図である。
【図２９】水処理ユニットを通る水の流れを示す、図２８の水処理装置の拡大断面図である。
【図３０】本発明による別の水処理ユニットの等角図である。
【図３１】図３０のユニットの側面図である。
【図３２】図３０のユニットの端面図である。
【図３３】カバーが外された、図３０のユニットの等角図である。
【図３４】図３０のユニットの水処理要素の等角図である。
【図３５】図３２のユニットの断面図である。
【図１】
2008542008.tif 000003
【図２】
2008542008.tif 000004
【図３】
2008542008.tif 000005
【図４】
2008542008.tif 000006
【図５】
2008542008.tif 000007
【図６】
2008542008.tif 000008
【図７】
2008542008.tif 000009
【図８】
2008542008.tif 000010
【図９】
2008542008.tif 000011
【図１０】
2008542008.tif 000012
【図１１】
2008542008.tif 000013
【図１２】
2008542008.tif 000014
【図１３】
2008542008.tif 000015
【図１４】
2008542008.tif 000016
【図１５】
2008542008.tif 000017
【図１６】
2008542008.tif 000018
【図１７】
2008542008.tif 000019
【図１８】
2008542008.tif 000020
【図１９】
2008542008.tif 000021
【図２０】
2008542008.tif 000022
【図２１】
2008542008.tif 000023
【図２２】
2008542008.tif 000024
【図２３】
2008542008.tif 000025
【図２４】
2008542008.tif 000026
【図２５】
2008542008.tif 000027
【図２６】
2008542008.tif 000028
【図２７】
2008542008.tif 000029
【図２８】
2008542008.tif 000030
【図２９】
2008542008.tif 000031
【図３０】
2008542008.tif 000032
【図３１】
2008542008.tif 000033
【図３２】
2008542008.tif 000034
【図３３】
2008542008.tif 000035
【図３４】
2008542008.tif 000036
【図３５】
2008542008.tif 000037
【国際調査報告】
2008542008.tif 000038
2008542008.tif 000039